(57)【要約】【課題】ミラーボックスの挿通孔から塵埃が侵入することを抑制する。【解決手段】カメラボディに設置されるミラー保持機構であって、駆動力を伝達する駆動ピンの駆動力を受けて揺動するメインミラー部と、メインミラー部に支持され、メインミラー部の揺動に連動して揺動するサブミラー部と、メインミラー部およびサブミラー部を収容するミラーボックスの一部を形成して、駆動ピンを挿通させて駆動を許容する挿通孔を備える側壁部と、サブミラー部に一体的に設けられ、挿通孔の少なくとも一部を覆うカバーとを備える。【選択図】図４
2012133200.tif 000002
【特許請求の範囲】
【請求項１】
カメラボディに設置されるミラー保持機構であって、
駆動力を伝達する駆動ピンの駆動力を受けて揺動するメインミラー部と、
前記メインミラー部に支持され、前記メインミラー部の揺動に連動して揺動するサブミラー部と、
前記メインミラー部および前記サブミラー部を収容するミラーボックスの一部を形成して、前記駆動ピンを挿通させて駆動を許容する挿通孔を備える側壁部と、
前記サブミラー部に一体的に設けられ、前記挿通孔の少なくとも一部を覆うカバーと
を備えるミラー保持機構。
【請求項２】
前記カバーは、前記サブミラー部に対して片持ちで一体的に設けられている請求項１に記載のミラー保持機構。
【請求項３】
前記カバーのうち前記サブミラー部と接続される端と反対の端は、ナイフエッジ状に形成されている請求項２に記載のミラー保持機構。
【請求項４】
前記カバーは、前記駆動ピンを囲むように環状に、前記サブミラー部に対して一体的に設けられている請求項１に記載のミラー保持機構。
【請求項５】
前記カバーには、前記ミラーボックスに入射する光束に対して直交する方向に遮光線が形成されている請求項１から４のいずれか一項に記載のミラー保持機構。
【請求項６】
前記カバーの外縁部の少なくとも一部は、前記サブミラー部の揺動中心に対して同心となる円弧形状である請求項１から５のいずれか一項に記載のミラー保持機構。
【請求項７】
前記カバーは、前記サブミラーの揺動中において常に前記挿通孔の少なくとも一部を覆う請求項１から６のいずれか一項に記載のミラー保持機構。
【請求項８】
請求項１から７のいずれか一項に記載のミラー保持機構を備えるカメラ。
【発明の詳細な説明】
【技術分野】
【０００１】
本発明は、ミラー保持機構およびカメラに関する。
【背景技術】
【０００２】
一眼レフカメラの撮像素子前方にはミラーボックスが配される（特許文献１参照）。ミラーボックスは、撮像素子および撮影レンズの間でメインミラー等を包囲して、カメラ内部で発生する塵埃が被写体光束の光路上に侵入することを防止する。
［先行技術文献］
［特許文献］
［特許文献１］特開平９−２７４２５０号公報
【発明の概要】
【発明が解決しようとする課題】
【０００３】
メインミラーは、ミラーボックスの壁面に形成された挿通孔に挿通された駆動ピンにより駆動力を伝えられる。挿通孔は駆動ピンの変位を許容する逃げを有する。このため、挿通孔および駆動ピンの間隙からミラーボックス内に塵埃が侵入する場合がある。
【課題を解決するための手段】
【０００４】
上記課題を解決すべく、本発明の第一態様として、カメラボディに設置されるミラー保持機構であって、駆動力を伝達する駆動ピンの駆動力を受けて揺動するメインミラー部と、メインミラー部に支持され、メインミラー部の揺動に連動して揺動するサブミラー部と、メインミラー部およびサブミラー部を収容するミラーボックスの一部を形成して、駆動ピンを挿通させて駆動を許容する挿通孔を備える側壁部と、サブミラー部に一体的に設けられ、挿通孔の少なくとも一部を覆うカバーとを備えるミラー保持機構が提供される。
【０００５】
また、本発明の第二態様として、上記のミラー保持機構を備えるカメラが提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の模式的断面図である。
【図２】ミラーボックス３３０の部分斜視図である。
【図３】退避状態のミラーボックス３３０を示す側面図である。
【図４】動作過程のミラーボックス３３０を示す側面図である。
【図５】斜設状態のミラーボックス３３０を示す側面図である。
【図６】カバー部４１０の形状を示す側面図である。
【図７】カバー部４１０の形状を示す平面図である。
【図８】カバー部４１０の形状を示す側面図である。
【発明を実施するための形態】
【０００８】
以下、発明の実施の形態を通じて本発明を説明する。ただし、以下の実施形態は特許請求の範囲に係る発明を限定するものではない。また、実施形態の中で説明される特徴の組み合わせの全てが発明の解決手段に必須であるとは限らない。
【０００９】
図１は、一眼レフカメラ１００の模式的断面図である。一眼レフカメラ１００は、レンズユニット２００およびカメラユニット３００を含む。
【００１０】
レンズユニット２００は、レンズ群２１０およびレンズマウント２２０を有する。レンズ群２１０は、共通の光軸１０１に沿って配されたフォーカスレンズ、ズームレンズ等を含み得る。これにより、レンズ群２１０は、入射した被写体光束による被写体像をカメラユニット３００内に結ぶ。また、被写体像の倍率を変化させる場合もある。
【００１１】
レンズマウント２２０は、後述するカメラユニット３００のカメラマウント３２０と嵌合する。これにより、レンズユニット２００は、カメラユニット３００に対して着脱自在に取り付けられる。
【００１２】
カメラユニット３００は、レンズマウント２２０に結合されるカメラマウント３２０に隣接して、メインミラー３３１およびサブミラー３３２を収容したミラーボックス３３０を筐体３１０の内部に備える。また、ミラーボックス３３０の下方に配された合焦光学系３４０と、ミラーボックス３３０の上方に配されたピント板３５２、ペンタプリズム３５０およびファインダ光学系３６０とを備える。
【００１３】
更に、レンズユニット２００とは反対側になるミラーボックス３３０の後方には、フォーカルプレーンシャッタ３９０、ローパスフィルタ３８４および撮像素子３８２が順次配される。撮像素子３８２の背後には、システム制御部３７２、画像処理部３７４等が実装された主基板３７０が配される。
【００１４】
メインミラー３３１はメインミラー保持枠３３３に保持される。メインミラー保持枠３３３は、メインミラー揺動軸３３５を介して、カメラユニット３００自体から軸支される。
【００１５】
サブミラー３３２はサブミラー保持枠３３４に保持される。サブミラー保持枠３３４は、サブミラー揺動軸３３６を介して、メインミラー保持枠３３３の下面側に軸支される。サブミラー保持枠３３４は、カバー部４１０も備える。これらミラーボックス３３０の内部構造については、他の図を参照して後述する。
【００１６】
メインミラー３３１は、レンズユニット２００から入射した被写体光束の光路上に傾斜して配置される斜設状態と、被写体光束を避けて上昇する退避位置との間を揺動する。斜設状態にあるメインミラー３３１は、入射光の大半をピント板３５２に向かって反射する。ピント板３５２は、レンズユニット２００のレンズ群２１０が合焦した場合に像を結ぶ位置に配されて当該像を可視化する。
【００１７】
ピント板３５２に結像された画像は、ペンタプリズム３５０を介してファインダ光学系３６０から観察される。ペンタプリズム３５０を通すことにより、ファインダ光学系３６０からは、ピント板３５２上の像を正立正像として見ることができる。
【００１８】
メインミラー３３１は、入射光の一部を透過するハーフミラー領域を有する。これにより、サブミラー３３２は、被写体光束の一部を受けて、合焦光学系３４０に向かって反射する。合焦光学系３４０は、入射した被写体光束の一部を合焦センサ３４２に導く。これにより、カメラユニット３００は、レンズユニット２００のレンズ群２１０を合焦させることができる。
【００１９】
なお、後述するように、メインミラー３３１が上昇して退避状態になった場合は、サブミラー３３２も、被写体光束の光路から退避する。よって、入射した被写体光束は、フォーカルプレーンシャッタ３９０に入射する。また、フォーカルプレーンシャッタ３９０が開いている場合は、被写体光束は、ローパスフィルタ３８４を通過した後、撮像素子３８２に入射する。
【００２０】
撮像素子３８２は、ＣＣＤセンサ、ＣＭＯＳセンサなどの光電変換素子により形成される。撮像素子３８２は、受光した被写体像を電気信号に変換して出力する。撮像素子３８２から出力された電気信号は、画像処理部３７４において画像データに変換される。こうして、被写体光束に対応した画像データが獲得される。
【００２１】
画像処理部３７４と共に主基板３７０に実装されたシステム制御部３７２は、メインミラー３３１、サブミラー３３２、フォーカルプレーンシャッタ３９０等の動作シーケンスを制御する。また、システム制御部３７２は、合焦センサ３４２から出力される位相差信号から、レンズユニット２００の合焦制御も実行する。
【００２２】
図２は、ミラーボックス３３０の部分斜視図であり、メインミラー３３１がミラーボックス３３０内を横切る斜設状態が描かれている。図１と同じ要素には同じ参照番号を付して重複する説明を省く。なお、図中の右側が、カメラユニット３００においてカメラマウント３２０が配される前側になる。
【００２３】
ミラーボックス３３０は、カメラユニット３００の筐体３１０の内部に配される。ミラーボックス３３０において、メインミラー３３１は、メインミラー保持枠３３３に保持される。
【００２４】
メインミラー保持枠３３３は、後側端部において、水平なメインミラー揺動軸３３５により軸支される。メインミラー揺動軸３３５は、ミラーボックス３３０に支持される。よって、メインミラー保持枠３３３は、後端を回転軸としてミラーボックス３３０に対して揺動する。なお、メインミラー保持枠３３３は、図示していない付勢バネの作用により先端を下方に付勢されている。よって、駆動力を受けていない場合、メインミラー保持枠３３３は、斜設状態の位置にとどまる。
【００２５】
また、メインミラー保持枠３３３は、メインミラー保持枠３３３の側面から水平に突出した駆動ピン３３９を有する。駆動ピン３３９の先端は、ミラーボックス３３０の側壁３３７に形成された挿通孔３３８に挿通されて、ミラーボックス３３０の外部まで延在する。
【００２６】
挿通孔３３８は、駆動ピン３３９の径よりも大きな高さの開口を有する。よって、駆動ピン３３９は、挿通孔３３８の中で昇降できる。ミラーボックス３３０の外部で駆動ピン３３９の先端を昇降させた場合、メインミラー保持枠３３３は、戻しバネに抗してミラーボックス３３０の内部で揺動する。
【００２７】
なお、メインミラー保持枠３３３の一部には、ミラーボックス３３０に入射する光束に対して直交する方向に遮光線３２９が形成されてもよい。これにより、ミラーボックス３３０の内部の迷光を抑制し得る。また、遮光線３２９の形成に換えて、例えば植毛紙のような遮光材料を貼付してもよい。
【００２８】
ミラーボックス３３０において、サブミラー３３２は、サブミラー保持枠３３４に保持される。サブミラー保持枠３３４はサブミラー揺動軸３３６に軸支される。サブミラー揺動軸３３６は、メインミラー保持枠３３３から支持される。よって、メインミラー保持枠３３３が揺動した場合は、サブミラー揺動軸３３６も変位するので、サブミラー保持枠３３４も共に揺動する。
【００２９】
なお、サブミラー保持枠３３４およびメインミラー保持枠３３３の間には、図示していないトグルバネが配される。トグルバネは、サブミラー保持枠３３４およびメインミラー保持枠３３３が相互に閉じる方向と相互に開く方向とに、サブミラー保持枠３３４をメインミラー保持枠３３３に対して選択的に付勢する。更に、サブミラー保持枠３３４は、メインミラー保持枠３３３に対して図示していない連動機構を有して、トグルバネの付勢方向を切り替える。
【００３０】
なお、サブミラー保持枠３３４の一部には、ミラーボックス３３０に入射する光束に対して直交する方向に遮光線３２９が形成されてもよい。これにより、ミラーボックス３３０の内部の迷光を抑制し得る。
【００３１】
カバー部４１０は、サブミラー保持枠３３４の上端に結合される。カバー部４１０は、サブミラー保持枠３３４の上端から上方に延在した後、ミラーボックス３３０の後方に向かって折れ曲がった形状を有する。これにより、カバー部４１０は、駆動ピン３３９の上方に回り込み、駆動ピン３３９の後方まで延在する。
【００３２】
なお、カバー部４１０は、サブミラー保持枠３３４に対して一体的に結合される。これにより、サブミラー保持枠３３４がサブミラー揺動軸３３６の回りに揺動した場合は、カバー部４１０もサブミラー保持枠３３４と共に揺動する。
【００３３】
図３は、退避状態のミラーボックス３３０を示す側面図である。図示のように、退避状態においては、メインミラー保持枠３３３は、ミラーボックス３３０の天井面に沿って略水平になる。また、サブミラー保持枠３３４も、メインミラー保持枠３３３に沿って略水平になる。よって、メインミラー保持枠３３３およびサブミラー保持枠３３４の裏面に配された遮光線３２９は、ミラーボックス３３０の内側に面した状態になる。
【００３４】
退避状態において、メインミラー３３１は、ピント板３５２と向かい合う状態となり、サブミラー３３２は、メインミラー３３１の裏面側に重ね合わされた状態になる。このような退避状態は、駆動力を受けたメインミラー保持枠３３３が、メインミラー戻しバネの付勢力に抗して上昇することにより実現される。
【００３５】
退避状態において、ミラーボックス３３０に入射した被写体光束は、メインミラー３３１およびサブミラー３３２に遮られることなく、ミラーボックス３３０内を横切り、ミラーボックス３３０の奥に配されたフォーカルプレーンシャッタ３９０または撮像素子３８２に到達する。よって、撮像素子３８２を被写体光束に露光させる撮影動作、撮像素子３８２から連続的に出力される被写体像を表示するライブビューモード等に、ミラーボックス３３０は退避状態になる。また、撮像素子３８２またはローパスフィルタ３８４を清掃する場合にも、ミラーボックス３３０は退避状態にされる。
【００３６】
上記退避状態において、メインミラー保持枠３３３に駆動力を伝達する駆動ピン３３９は、挿通孔３３８の略上端に位置する。従って、挿通孔３３８の下側部分は、大半が開放されている。しかしながら、サブミラー保持枠３３４と共に揺動するカバー部４１０は、退避状態においては、駆動ピン３３９の上側から、フォーカルプレーンシャッタ３９０を配された後方側を回り、更に、駆動ピン３３９の下側まで回り込んでいる。これにより、カバー部４１０の先端近傍の部分が、挿通孔３３８の開口を覆って、挿通孔３３８を通じた塵埃の侵入を阻止する。
【００３７】
図４は、上記退避状態から、後述する斜設状態に至る動作過程にあるミラーボックス３３０を示す側面図である。図３と同じ要素には同じ参照番号を付して重複する説明を省く。
【００３８】
動作過程において、メインミラー保持枠３３３は、一端を軸支するメインミラー揺動軸３３５を回転軸として、他端を降下させるべく揺動する。これにより、メインミラー保持枠３３３は、被写体光束の光路に徐々に進入する。
【００３９】
サブミラー保持枠３３４は、サブミラー揺動軸３３６を介してメインミラー保持枠３３３から支持されているので、メインミラー保持枠３３３と共に揺動する。更に、サブミラー保持枠３３４は、図示されていないカム機構により、サブミラー揺動軸３３６を回転軸として、メインミラー保持枠３３３に対しても揺動する。よって、メインミラー保持枠３３３が揺動して一端が降下するに連れて、サブミラー保持枠３３４の一端は、メインミラー保持枠３３３から徐々に離れる。
【００４０】
上記動作過程において、駆動ピン３３９は、挿通孔３３８の内部を下方に向かって変位する。これにより、駆動ピン３３９の下側の間隙は徐々に狭くなるが、駆動ピン３３９の上側では、挿通孔３３８の開放部分が徐々に大きくなる。
【００４１】
しかしながら、駆動ピン３３９の下側では、カバー部４１０の先端近傍が挿通孔３３８の一部を覆う。また、駆動ピン３３９の上側では、サブミラー保持枠３３４に対する結合部近傍においてカバー部４１０が挿通孔３３８の一部を覆う。
【００４２】
これにより、挿通孔３３８の開口部分の一部はカバー部４１０により覆われる。よって、挿通孔３３８を通じてミラーボックスに進入する塵埃が阻止される。
【００４３】
図５は、斜設状態のミラーボックス３３０を示す側面図である。図３および図４と同じ要素には同じ参照番号を付して重複する説明を省く。
【００４４】
斜設状態において、メインミラー保持枠３３３は、一端を軸支するメインミラー揺動軸３３５を回転軸として他端を降下させる。メインミラー保持枠３３３の当該他端は、ミラーボックス３３０の底面近傍まで移動する。
【００４５】
これにより、メインミラー３３１は、上方に向いて略４５度に傾斜した状態になる。よって、カメラマウント３２０側から入射した被写体光束は、メインミラー３３１に反射されて、上方に配されたピント板３５２に入射する。ピント板３５２に結ばれた被写体像は、ペンタプリズム３５０およびファインダ光学系３６０を介してユーザに観察される。
【００４６】
また、サブミラー保持枠３３４は、サブミラー揺動軸３３６を回転軸として、メインミラー保持枠３３３に対して揺動する。これにより、サブミラー３３２は、下方を向いて略４５度に傾斜した状態になる。
【００４７】
これにより、メインミラー３３１に入射してメインミラー３３１に透過された被写体光束の一部は、ミラーボックス３３０の底面に配された合焦光学系３４０に入射する。これにより、一眼レフカメラ１００は、レンズユニット２００を被写体に合焦させることができる。
【００４８】
上記斜設状態において、駆動ピン３３９は、挿通孔３３８の下端近傍に位置する。これにより、駆動ピン３３９の上側において挿通孔３３８は大きく開放される。
【００４９】
しかしながら、駆動ピン３３９の上側においては、カバー部４１０の先端近傍が、側壁３３７に接触することなく挿通孔３３８の一部を覆う。これにより、挿通孔３３８の開放部分の一部はカバー部４１０により覆われ、挿通孔３３８を通じた塵埃の侵入が阻止される。
【００５０】
このように、上記ミラーボックス３３０においては、メインミラー保持枠３３３およびサブミラー保持枠３３４の位置にかかわらず、カバー部４１０が挿通孔３３８の一部を常に覆っている。よって、カメラユニット３００の筐体３１０内部で発生した塵埃、あるいは筐体３１０内部に侵入した塵埃が、更に、挿通孔３３８を通じてミラーボックス３３０に侵入することが抑制される。
【００５１】
図６は、カバー部４１０の形状を示す側面図であり、一体に形成されたサブミラー保持枠３３４およびカバー部４１０を単独で示す。図６は、図５と同様に、ミラーボックス３３０の斜設状態の傾きで、サブミラー保持枠３３４およびカバー部４１０が描かれる。
【００５２】
カバー部４１０の上側部分４１１は全体として弧をなす。特に、頂面４１２は、図中に点線Ｒで挟む区間において、サブミラー保持枠３３４のサブミラー揺動軸３３６と同軸の円弧をなす。これにより、サブミラー保持枠３３４の揺動と共にカバー部４１０が揺動した場合に、サブミラー揺動軸３３６からの距離が変化しないので、ミラーボックス３３０内における占有空間の変化が抑制される。
【００５３】
カバー部４１０の一端（図中右側）は、上側部分４１１から図中下方に向かって延在して、サブミラー保持枠３３４の上端に結合される。これにより、カバー部４１０は、サブミラー保持枠３３４から片持ちで支持され、サブミラー保持枠３３４と一体的に揺動する。
【００５４】
カバー部４１０の他端（図中左側）は断ち切られており、側方端面が露出している。サブミラー保持枠３３４が斜設状態から退避状態に変位する場合には、図中に矢印Ｕにより示す方向に変位するので、当該側方端面がカバー部４１０の先端部４１４となって変位する。
【００５５】
図７は、カバー部４１０の形状を示す平面図であり、斜設状態のミラーボックス３３０におけるサブミラー保持枠３３４およびカバー部４１０の配置を、図６に矢印Ａで示す視点で示す。なお、メインミラー保持枠３３３は図示を省略する。
【００５６】
斜設状態になるミラーボックス３３０では、サブミラー３３２は、下方を向いて傾斜している。よって、図示の視点からは、サブミラー保持枠３３４の裏面が見える。
【００５７】
既に説明した通り、メインミラー３３１およびサブミラー３３２が上昇した退避状態では、サブミラー保持枠３３４の裏面がミラーボックス３３０の内面を覆う。よって、ミラーボックス３３０の内部の迷光を抑制する目的で、サブミラー保持枠３３４の裏面には遮光線３２９が一面に形成される。
【００５８】
サブミラー保持枠３３４の一部は、カメラマウント３２０が配された前方に向かって延在して、サブミラー揺動軸３３６に結合される。また、サブミラー保持枠３３４の一部は更に前方に延在して、カバー部４１０に結合される。カバー部４１０は、サブミラー保持枠３３４と一体的に結合される。
【００５９】
サブミラー保持枠３３４を収容したミラーボックス３３０の一方の側壁３３７には、駆動ピン３３９を挿通する挿通孔３３８が配される。カバー部４１０の先端は、サブミラー保持枠３３４および挿通孔３３８の間に位置する。これにより、サブミラー保持枠３３４側から見た場合、カバー部４１０により挿通孔３３８が覆われる。よって、ミラーボックス３３０の外部から挿通孔３３８を通じて侵入しようとする塵埃の少なくとも一部は、カバー部４１０により侵入を阻止される。
【００６０】
ここで、サブミラー保持枠３３４に結合されていない先端部４１４は、メインミラー３３１およびサブミラー３３２が退避状態から斜設状態に変位する場合の進行方向に対して直交する鋭利な稜線を有する。先端部４１４の稜線の両側部は、カバー部４１０の両側面に滑らかに連続する。
【００６１】
これにより、サブミラー保持枠３３４が揺動する場合にカバー部４１０が空気抵抗を受け難く、サブミラー保持枠３３４が円滑に揺動する。また、カバー部４１０の先端が移動する場合に、カバー部４１０の先端で乱流が発生し難いので、ミラーボックス３３０内で塵埃を巻き上げることがない。
【００６２】
なお、同様の理由で、カバー部４１０の他の端面４１６を滑らかに仕上げてもよい。また、カバー部４１０において、ミラーボックス３３０の内側に面した側面には、ミラーボックス３３０に入射する光束に対して直交する方向に遮光線３２９を配してもよい。これにより、ミラーボックス３３０の内部における迷光が抑制される。
【００６３】
図８は、カバー部４１０の形状を示す側面図であり、カバー部４１０の他の形状を示す。なお、以下に説明する部分を除くと、このミラーボックス３３０の内部構造は、図１から図７までに示したミラーボックス３３０と変わらない。よって、共通の要素には同じ参照番号を付して重複する説明を省く。
【００６４】
このミラーボックス３３０において、カバー部４１０は、駆動ピン３３９の周囲を包囲する環状の形状を有する。また、カバー部４１０の先端は、駆動ピン３３９の周囲を回り込んで再びサブミラー保持枠３３４に達する。カバー部４１０の先端は、サブミラー保持枠３３４に結合される。
【００６５】
このような形状により、カバー部４１０は両端で支持される。よって、カバー部４１０自体の剛性を高くすることなく、サブミラー保持枠３３４に対する位置が安定する。従って、サブミラー保持枠３３４の軽量化に寄与する。
【００６６】
また、カバー部４１０は環状に繋がった形状を有する。よって、メインミラー保持枠３３３およびサブミラー保持枠３３４が如何なる角度をとる場合も、カバー部４１０の一部が挿通孔３３８の一部を常に覆って塵埃の侵入を抑制する。
【００６７】
更に、カバー部４１０は環状なので、サブミラー保持枠３３４の揺動と共に移動する場合に先端が風を切ることがない。このため、乱流の発生が抑制され、ミラーボックス３３０内で塵埃が巻き上げられることが防止される。
【００６８】
なお、サブミラー保持枠３３４およびカバー部４１０は、一体的に成形してもよい。また、サブミラー保持枠３３４およびカバー部４１０は、それぞれ作成した部品を組み合わせて作成してもよい。ただし、いずれの場合も、ミラーボックス３３０に組み込まれた状態では、サブミラー保持枠３３４およびカバー部４１０が一体的に揺動する。
【００６９】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００７０】
１００  一眼レフカメラ、１０１  光軸、２００  レンズユニット、２１０  レンズ群、２２０  レンズマウント、３００  カメラユニット、３１０  筐体、３２０  カメラマウント、３２９  遮光線、３３０  ミラーボックス、３３１  メインミラー、３３２  サブミラー、３３３  メインミラー保持枠、３３４  サブミラー保持枠、３３５  メインミラー揺動軸、３３６  サブミラー揺動軸、３３７  側壁、３３８  挿通孔、３３９  駆動ピン、３４０  合焦光学系、３４２  合焦センサ、３５０  ペンタプリズム、３５２  ピント板、３６０  ファインダ光学系、３７０  主基板、３７２  システム制御部、３７４  画像処理部、３８２  撮像素子、３８４  ローパスフィルタ、３９０  フォーカルプレーンシャッタ、４１０  カバー部、４１１  上側部分、４１２  頂面、４１４  先端部、４１６  端面
【図１】
2012133200.tif 000003
【図２】
2012133200.tif 000004
【図３】
2012133200.tif 000005
【図４】
2012133200.tif 000006
【図５】
2012133200.tif 000007
【図６】
2012133200.tif 000008
【図７】
2012133200.tif 000009
【図８】
2012133200.tif 000010